(57)【要約】【課題】開閉体装置を制御する認証キーの追加登録処理を簡便化すること。【解決手段】認証キー１０の登録／抹消処理における追加登録処理として、モード切替部３２を所定操作して開閉体制御モードから認証キー１０の登録／抹消モードに切り替える。次に、登録済みの認証キー１０の操作キーを所定操作して追加登録モードへと切り替え、この後、追加登録したい未登録の認証キー１０の操作キーを所定操作し、認証キー１０のＩＤ情報を制御装置３０に登録させている。【選択図】図１
2018104917.tif 000002
【特許請求の範囲】
【請求項１】
利用者が所有する認証キーと、
建物の出入口に設置される開閉体と、
前記認証キーを特定するＩＤ情報を含む開閉体制御情報を取得し、前記開閉体を開扉可能な状態及び閉扉状態が維持されるように電気的な制御を行う制御装置と、
を備える開閉体制御システムにおいて、
前記制御装置は、
前記認証キーとの間で通信を行って該キーに記憶される前記開閉体制御情報を取得する情報通信部と、
所定操作によって前記開閉体を制御する制御モードから前記認証キーの登録／抹消が行える登録／抹消モードに切り替えるモード切替部と、
前記情報通信部が取得した前記開閉体制御情報が登録済みの認証キーであると判別したときに、前記登録／抹消モードを追加登録モードへと切り替え、このモード状態において、前記情報通信部が追加登録する認証キーに記憶される開閉体制御情報を取得すると、該認証キーの追加登録処理を行う制御部と、
を備えたことを特徴とする開閉体制御システム。
【発明の詳細な説明】
【技術分野】
【０００１】
本発明は、例えば建物の出入口に設けられる扉のような各種開閉体を開扉可能な状態及び閉扉状態が維持されるように該開閉体を電気的に制御する開閉体制御システムに関するものである。
【背景技術】
【０００２】
従来より、集合住宅や一般住宅のエントランスや各戸の玄関、ホテルやオフィスビル等の商業施設や公共施設の入出口等の建物の各種扉の錠前部分には、不審者の侵入を回避するため、セキュリティ性に富んだ開閉体制御システムが採用されている。
【先行技術文献】
【特許文献】
【０００３】
【特許文献１】特開平１０−２４６０４３号公報
【発明の概要】
【発明が解決しようとする課題】
【０００４】
しかしながら、できなかった。
【０００５】
そこで、本発明は上記問題点に鑑みてなされたものであり、できる開閉体制御システムを提供することを目的とするものである。
【課題を解決するための手段】
【０００６】
上記した目的を達成するために、本発明に係る第１の態様は、
利用者が所有する認証キーと、
建物の出入口に設置される開閉体と、
前記認証キーを特定するＩＤ情報を含む開閉体制御情報を取得し、前記開閉体を開扉可能な状態及び閉扉状態が維持されるように電気的な制御を行う制御装置と、
を備える開閉体制御システムにおいて、
前記制御装置は、
前記認証キーとの間で通信を行って該キーに記憶される前記開閉体制御情報を取得する情報通信部と、
所定操作によって前記開閉体を制御する開閉体制御モードから前記認証キーの登録／抹消が行える登録／抹消モードに切り替えるモード切替部と、
前記情報通信部が取得した前記開閉体制御情報が登録済みの認証キーであると判別したときに、前記登録／抹消モードを追加登録モードへと切り替え、このモード状態において、前記情報通信部が追加登録する認証キーに記憶される開閉体制御情報を取得すると、該認証キーの追加登録処理を行う制御部と、
を備えたことを特徴とする、開閉体制御システムである。
【発明の効果】
【０００７】
本発明によれば、登録済みの認証キーのＩＤ情報を含む開閉体制御情報を全抹消した後に再度登録したい認証キーの開閉体制御情報を登録し直すという作業が不要となり、簡便に認証キーの追加登録処理を行うことができる。
【図面の簡単な説明】
【０００８】
【図１】本発明に係る開閉体制御システムの構成を示す概略ブロック図である。
【発明を実施するための形態】
【０００９】
以下、本発明を実施するための形態について、添付した図面を参照しながら詳細に説明する。なお、この実施の形態によりこの発明が限定されるものではなく、この形態に基づいて当業者などによりなされる実施可能な他の形態、実施例及び運用技術などは全て本発明の範疇に含まれる。
【００１０】
［システム構成について］
まず、本発明に係る開閉体制御システム１の構成について説明する。
本発明の開閉体制御システム１は、例えば集合住宅、戸建住居、商業ビル、公共施設などの建物の出入口に設けられる開閉体（引き戸、開き戸、自動ドアなど）２０を制御対象とし、利用者が入退出する際に開閉体２０が開扉可能な状態及び閉扉状態を保持させるための駆動手段２１を電気的に制御するものである。
【００１１】
図１に示すように、開閉体制御システム１は、利用者が所持し、施解錠操作時に所定操作される認証キー１０と、共用部や専有部の出入口に設けられる開閉体装置２０と、開閉体装置２０を制御する制御装置３０とで概略構成される。
【００１２】
＜認証キー＞
認証キー１０は、電磁界や電波を用いて通信距離が数ｃｍ〜数十ｍの無線通信（ＮＦＣ（Near field radio communication）、ブルートゥース（登録商標）、Ｗｉ−Ｆｉなど）が行える無線通信機能を備えた各種通信デバイス（例えば携帯電話、スマートフォン、ウェアラブルデバイスのような携帯型情報端末、携帯型リモコンキー、非接触型ＩＣカードなど）で構成される認証用媒体で構成されている。本実施形態では、認証キー１０として、開閉体２１を開扉可能な状態及び閉扉状態を維持した状態とする際に通信される開閉制御情報（少なくとも認証キー１０を特定するためのＩＤ情報（機器の製造番号や任意に設定された情報）を含む）を通信する際に操作される操作キーを備えた携帯型リモコンキーを使用する。
【００１３】
なお、制御装置３０との間における無線通信の仕様としては、パッシブタイプ（受動タイプ）、アクティブタイプ（能動タイプ）、パッシブタイプ及びアクティブタイプの双方を組み合わせたセミアクティブタイプ（起動型能動タイプ）を問わない。
【００１４】
認証キー１０は、開閉体２１を開扉可能な状態とするとき又は閉扉状態を維持させるときに所定操作され、制御装置３０との間で開閉制御情報の通信を行う。
【００１５】
＜開閉体装置＞
開閉体装置２０は、建物の出入口に設けられる開閉可能な開閉体２１と、開閉体２１を開扉可能な状態及び閉扉を維持した状態とする駆動手段２２とを備えている。
【００１６】
駆動手段２２は、例えば開閉体２１が戸建住居の玄関扉（引き戸や開き戸）の場合、錠前のデッドボルトを電気的に進退させるための駆動部（モータやアクチュエータ）として機能する。また、開閉体２１が集合住宅における共用部の共用ドア（自動ドア）の場合、自動ドアを電気的に開閉させるためので駆動部（モータやアクチュエータ）として機能する。
【００１７】
開閉体２１を開扉又は閉扉するときは、利用者が認証キー１０を所定操作することで制御部３４により駆動手段２２が制御され、開閉体２１が開扉可能な状態又は閉扉状態が維持された状態となる。つまり、駆動手段２２が電気錠装置における錠前の駆動部の場合は、開扉時にデッドボルトを退避させ解除状態とし、閉扉時にデッドボルトを進出させ施錠状態とする。
【００１８】
＜制御装置＞
制御装置３０は、情報通信部３１と、モード切替部３２と、記憶部３３と、制御部３４とを備えている。制御装置３０は、開閉体装置２０と接続され、認証キー１０との間で通信した開閉制御情報に基づき、駆動手段２２の駆動制御を行う。
【００１９】
制御装置３０は、例えば開閉体装置２０が戸建住戸の玄関扉とした場合、錠前を電気的に制御する室内制御盤や、錠前ボックス内に錠前と制御手段とがユニット化された制御機能付電気錠の制御手段として機能する。また、開閉体装置２０が集合住宅における共用部の自動ドアの場合は、管理室に設置される開閉制御盤として機能する。
【００２０】
情報通信部３１は、各種無線通信（ＮＦＣ、ブルートゥース（登録商標）、Ｗｉ−Ｆｉなど）を利用して認証キー１０との間で開閉制御情報の通信が可能な各種通信機器で構成される。本実施形態の情報通信部３１は、リモコンキーである認証キー１０から開閉制御情報を受信する受信部として機能する。
【００２１】
本例の情報通信部３１は、近距離無線通信による構成例である。情報通信部２１は、一定周期で所定の通信範囲内に近接する認証キー１０に対してポーリングを行っており、認証キー１０が通信範囲内に近接した際に開閉体制御情報の読み取りを行い、この読み取った開閉体制御情報を制御部３４に送信する。
【００２２】
なお、情報通信部３１は、認証キー１０との間で通信を行う方法としては、上記のような所定周期でポーリングを行う方法の他、省電力化を図る目的として開閉体装置３０の制御時や認証キー１０の登録作業時に制御装置３０との間で通信する意思を確認するため、制御装置３０の所定箇所に設けた不図示の操作部（押下ボタン、スライドキーなど）が操作されたときにのみ通信を行う構成とすることもできる。
【００２３】
モード切替部３２は、認証キー１０の登録／抹消時に操作される押下ボタンやスライドキーのような機械式スイッチである。モード切替部３２は、開閉体２１の近傍（例えば、開閉体２１が戸建住戸の玄関扉として設置される場合は、屋内側の壁や開閉体２１の近傍）に配設され、認証キー１０の登録／抹消時に操作される。これにより、開閉体２１の制御を行う開閉体制御モードから認証キー１０の登録／抹消が行える登録／抹消モードへと切り替わる。
【００２４】
なお、モード切替部３２は、例えば壁埋込式の収容器に施解錠式の開閉シャッターを設け、シャッターを開扉した状態で操作可能となる構成のように、外部からの悪戯や誤動作を防止するように設置されている。
【００２５】
記憶部３３は、例えばＥＥＰＲＯＭやフラッシュメモリなどの不揮発性メモリやＤＲＡＭやＳＤＲＡＭなどの揮発性メモリを含む各種半導体メモリ、ＨＤＤなどの各種記憶装置で構成される。記憶部３３は、制御装置３０を構成している各機器の機器情報、情報通信部３１で読み取った開閉制御情報が錠前を施解錠する正当な情報であるか否かを判別するための認証用情報、登録済みの認証キー１０毎の開閉体制御情報などを記憶する。
【００２６】
また、記憶部３３は、必要に応じて、モニタ情報（扉の開閉状態信号や駆動手段３１の状態信号、認証キー１０の操作履歴）などの開閉体制御に関する各種データを記憶してもよい。
【００２７】
制御部３４は、例えばＣＰＵ（Central Processing Unit ）やＲＯＭ（Read Only Memory），ＲＡＭ（Random Access Memory）又はこれらの機能を具備するＭＰＵ（Micro-Processing Unit ）などのプロセッサで構成され、制御装置３０を構成する各部の駆動制御や電源供給制御を行っている。
【００２８】
制御部３４は、施解錠操作時に認証キー１０から読み取った錠ＩＤと、記憶部３３に記憶された認証用情報とを照合して正当性を判別し、正当であると判定した場合にのみ、現在の開閉体の状態に応じた駆動制御信号を開閉体装置２０に送信している。これにより、駆動手段２２が所定制御され、開閉体２１が開扉可能な状態又は閉扉状態を維持した状態となる。
【００２９】
また、制御部３４は、認証キー１０登録／抹消時にモード切替部２３が所定操作されると、認証キー１０の登録処理や抹消処理を行う。
【００３０】
ここで、認証キー１０の登録時の処理と抹消時の処理について説明する。
なお、以下の処理動作は一例であり、各処理中の操作回数や通知方法（音の種類や通知回数など）は任意に設定可能とする。
【００３１】
また、以下の処理動作では、認証キー１０としてリモコンキーや携帯情報端末のようなキー操作機能を有する機器を使用する。つまり、認証キー１０の登録／抹消時において、認証キー１０と情報通信部３１との間で通信を行う際は、必要に応じて認証キー１０に設けられた特定の操作キー（例えば、機械式ボタン、表示画面上のソフトキー）を所定操作して開閉体制御情報を送信する。
【００３２】
＜登録処理＞
登録処理には、システム導入時に使用する認証キー１０の登録を行う「初期登録」と、初期登録後に新たな認証キー１０を追加して登録する「追加登録」の２つの登録方法がある。
【００３３】
−初期登録−
初期登録時の処理手順は、まずモード切替部２３を所定操作する。このとき、開閉体制御モードから登録／抹消モードに切り替わったことを示す報知（例えばブザー音を３回鳴らす）を行う。
【００３４】
次に、未登録の認証キー１０の操作キーを所定操作（本実施形態では、操作キーを１回押下）する。このキー操作により、認証キー１０に記憶される開閉体制御情報が情報通信部３１に送信される。
【００３５】
制御装置３０は、情報通信部３１で受信した開閉体制御情報を記憶部３３に記憶させ、ＩＤ情報を送信した認証キー１０の登録処理が完了する。つまり、開閉体制御情報にＩＤ情報以外の情報が含まれる場合はＩＤ情報のみを記憶させ、開閉体制御情報がＩＤ情報のみの場合は開閉体制御情報自体を記憶させることで、未登録の認証キー１０が登録済みとなる。
【００３６】
また、登録が完了すると、登録完了を示す報知（例えば、登録数分のブザー音を鳴らす）を行う。例えば、登録数が３つで、４つめの認証キー１０を登録した場合、登録後にブザー音を４回鳴らす。
【００３７】
以降、登録対象となる認証キー１０の操作キーを操作して、登録したい個数分の登録処理を繰り返し行うことで、認証キー１０の登録処理が終了する。
【００３８】
−追加登録−
追加登録時の処理手順は、まずモード切替部２３を所定操作する。このとき、開閉体制御モードから登録／抹消モードに切り替わったことを示す報知（例えば、「ピッ、ピッ、ピッ」のようにブザー音を３回鳴らす）を行う。次に、登録済みの認証キー１０の操作キーを所定操作（本実施形態では、操作キーを１回押下）する。これにより、登録／抹消モードから追加登録モードへと切り替わる。
【００３９】
次に、追加登録したい認証キー１０の操作キーを所定操作（本実施形態では、操作キーを１回押下）する。このキー操作により、追加登録させたい認証キー１０に記憶される開閉体制御情報が情報通信部３１に送信される。
【００４０】
制御装置３０は、情報通信部３１で受信した開閉体制御情報に含まれるＩＤ情報を記憶部３３に記憶させ、このＩＤ情報を送信した認証キー１０、すなわち追加登録させたい認証キー１０の登録処理が完了する。なお、上述した初期登録時の登録処理と同様、開閉体制御情報にＩＤ情報以外の情報が含まれる場合はＩＤ情報のみを記憶させ、開閉体制御情報がＩＤ情報のみの場合は開閉体制御情報自体を記憶させることになる。
【００４１】
また、登録が完了すると、登録完了を示す報知（例えば、登録数が５つで、６つ目の認証キー１０を登録した場合、「ピッ、ピッ、ピッ、ピッ、ピッ、ピッ」のように総登録数（６つ）分だけブザー音を鳴らす。
【００４２】
以降、追加登録対象となる認証キー１０の操作キーを操作して、追加登録したい個数分の登録処理を繰り返し行うことで、認証キー１０の登録処理が終了する。
【００４３】
、
なお、初期登録、追加登録に際し、最大登録数に達した場合は、その状態を示す報知（例えば、「ピー」のようにブザー音を所定時間（５秒）鳴らす）が行われるため、利用者は認証キー１の最大登録数に達したことを認知できる。
【００４４】
＜抹消処理＞
抹消処理は、登録される認証キー１０を全て抹消する処理である。詳述すると、まずモード切替部２３を所定操作する。このとき、開閉体制御モードから登録／抹消モードに切り替わったことを示す報知（例えばブザー音を３回鳴らす）を行う。
【００４５】
次に、所定の抹消操作を行うと、登録される全ての認証キー１０のＩＤ情報が抹消される。また、抹消が完了すると、抹消完了を示す報知（例えば、「ピッ、ピッ、ピッ、ピッ、ピッ」のようにブザー音を５回鳴らす）を行う。
【００４６】
抹消操作として、例えば開閉体２１が戸建住戸の玄関扉の場合は、扉に設置されるサムターンを所定回数（例えば２回）施錠・解錠操作する。また、開閉体２１が集合住宅における共用部の共用ドア（自動ドア）の場合は、登録済みの認証キー１０の操作キーを所定回数（例えば３回以上）操作する。
【００４７】
そして、上述した開閉体制御システム１において、認証キー１０の初期登録を行う場合は、モード切替部３２を所定操作して開閉体制御モードから登録／抹消モードに切り替え、このモード状態のときに未登録の認証キー１０の操作キーを順次操作して、認証キー１０の初期登録を行う。
【００４８】
また、認証キー１０を追加登録する場合は、モード切替部３２を所定操作して開閉体制御モードから登録／抹消モードに切り替え、さらに登録済みの認証キー１０の操作キーを所定操作する。これにより、登録／抹消モードから追加登録モードへと切り替わるため、このモード状態で追加登録したい認証キー１０の操作キーを順次操作して、認証キー１０の追加登録を行う。
【００４９】
また、登録された認証キー１０のＩＤ情報を全抹消する場合は、モード切替部３２を所定操作して開閉体制御モードから登録／抹消モードに切り替え、このモード状態で所定の抹消操作を行うことで、登録される認証キー１０のＩＤ情報の全抹消処理が完了する。
【００５０】
以上説明したように、上述した開閉体制御システム１は、認証キー１０の登録／抹消処理における追加登録処理として、モード切替部３２を所定操作して開閉体制御モードから認証キー１０の登録／抹消モードに切り替える。次に、登録済みの認証キー１０の操作キーを所定操作して追加登録モードへと切り替え、この後、追加登録したい未登録の認証キー１０の操作キーを所定操作し、認証キー１０のＩＤ情報を制御装置３０に登録させている。
【００５１】
これにより、従来システムで行われる追加登録時の処理のように、一旦登録済みの認証キー１０のＩＤ情報を全抹消した後に再度登録したい認証キー１０のＩＤ情報を登録し直すという作業が不要となり、簡便に認証キー１０の追加登録処理を行うことができる。
【００５２】
［その他の実施形態について］
なお、本発明は上記各実施形態に限定されるものではなく、例えば以下に示すように使用環境などに応じて適宜変更して実施することもできる。また、以下の変更例を本発明の要旨を逸脱しない範囲の中で任意に組み合わせて実施することもできる。
【００５３】
上述した形態における認証キー１の登録／抹消処理では、認証キー１０としてリモコンキーや携帯情報端末のようなキー操作機能を有する機器を使用したが、認証キー１０として非接触型ＩＣカードのようにキー操作機能を有さないものを使用することもできる。
【００５４】
このような構成の場合、キー操作による登録／抹消操作は行わず、非接触型ＩＣカードのＩＤ情報を所定タイミングで情報通信部３１に読み取らせることで、同様の処理を行うことができる。つまり、本発明に係る開閉体制御システム１では、認証キー１０の種類を問わず、登録時／抹消時において特定のＩＤ情報が所定タイミングで事前に取り決めた回数だけ制御装置３０に送られるシステム構成であれば特に限定されない。
【００５５】
また、上述した形態における登録／抹消処理において、現在の状態（登録状態や抹消状態）を示す報知方法としてブザー音による報知を行う構成としたが、例えばＬＥＤランプのような表示機器を制御装置３０に具備させ、ブザー音による報知と、表示機器による報知を同時に行う構成としてもよい。さらに、ブザー音による報知の代わりに表示機器を用いた表示通知による報知のみとする構成でもよい。なお、表示通知の表示方法（点灯／点滅回数、時間など）は、登録／抹消状態が的確に判断できるように任意に設定することができる。
【符号の説明】
【００５６】
１…開閉体制御システム
１０…認証キー
２０…開閉体装置
２１…開閉体
２２…駆動手段
３０…制御装置
３１…情報通信部
３２…モード切替部
３３…記憶部
３４…制御部
【図１】
2018104917.tif 000003